【事件の表示】
　特願２０００−２１５８２２号「切開創保持具」拒絶査定不服審判事件〔平成１４年　１月２９日出願公開、特開２００２−　２８１６３号〕について、次のとおり審決する。
【結　論】
　本件審判の請求は、成り立たない。
【理　由】
１．手続の経緯
　本願は、平成１２年７月１７日の出願であって、平成１７年８月４日付けで拒絶査定がなされ、これに対し、平成１７年９月８日に拒絶査定不服審判の請求がなされるとともに、同年１０月５日付けで明細書についての手続補正がなされたものである。
　
２．平成１７年１０月５日付けの手続補正についての補正却下の決定
［補正却下の決定の結論］
　平成１７年１０月５日付けの手続補正（以下、「本件補正」という）を却下する。
　
［理由］
(2-1)補正後の本願発明
　本件補正により、特許請求の範囲の請求項１は、次のように補正された。
「手術中切開創に装着して切開創を開いた状態に保持する切開創保持具において、対向配置した体表側リングおよび可撓性の体腔内挿入側リングに筒状の弾性部材の両端部を拡張させて固定することにより鼓型に形成され、前記筒状の弾性部材が前記切開創の外部から内部に位置すると共に前記可撓性の体腔内挿入側リングが前記切開創の内部に位置して前記切開創に係止することにより前記切開創を開いた状態に保持する保持具本体と、前記保持具本体の前記体表側リングに回転により係合する接合手段を介して、
前記体表側リングとの間に設けられた弾性リングにより気密性を有して
　
(2-2)補正の目的及び新規事項の追加の有無
　本件補正は、請求項１に記載した発明を特定するために必要な事項である「介して着脱自在に取り付けられたプレート部材」（補正前）を「介して、前記体表側リングとの間に設けられた弾性リングにより気密性を有して取り付けられるプレート部材」（補正後）に補正するものである。
　ここで、
・補正により「前記体表側リングとの間に設けられた弾性リングにより気密性を有して」が追加されているが、これは、取り付けに関する事項を具体的に限定するものであり、
・補正により「着脱自在に」が削除されているが、補正前後の請求項１には共に「前記プレート部材は、開閉可能な1つの弁を有した弁プレート、開閉可能な複数の弁を有した多弁プレート、複数の連通孔を有した多孔プレート、および前記体表側リングの開口を閉塞する閉塞プレートのいずれか１つが手技に応じて選択されて前記体表側リングに取り付けられるものである」との記載があり、これは、「着脱自在に」の意味を含むものであることから、請求項１の記載の全体から見て、補正前後共に「着脱自在に」を発明特定事項にしているので、上記のように「着脱自在に」が削除されているとしても、特許請求の範囲を拡張又は変更するものであるとはいえず、
　かつ、補正後の請求項１に記載された発明は、補正前の請求項１に記載された発明と、産業上の利用分野及び解決しようとする課題が同一であるので、本件補正は、平成１８年改正前特許法第１７条の２第４項第２号の特許請求の範囲の減縮を目的とするものに該当する。
　そして、本件補正は、新規事項を追加するものではない。
　
３．独立特許要件
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
(3-1)．引用例の記載事項
　原査定の拒絶の理由に引用された特表２０００−５０１９７８号公報（以下、「引用例」という）には、次の事項が記載されている。
　
(a)公報第９頁第３行から第１１頁第１５行
「発明の背景
　本発明は、外科手術用装置の分野に関する。特に、本発明は、外科手術用アクセスポートに関し、開口部を通して患者の体腔に挿入される手又は器具に対する気密密閉を提供する。
　腹部の外科手術は、通常外科医師の手、さまざまの器具、及び体腔の照明を収容し得るような十分な大きさの腹壁の切開手術を伴う。外科手術において、大きい規模の切開は、体腔へのアクセスを単純化するが、傷創を大きくし、長期の回復時間を要し、更に醜い傷跡を生ずる。これらの欠点に応じて、最小傷創の外科手術の方法が開発されてきた。
　最小傷創の外科手術においては、いくつかのより小さい切開が、複数回、腹壁に対してなされる。１つの開腹は、気体で腹腔を膨張させる為に行われる。これは、腹壁を下部の器官から剥離させて持ち上げ、所望の外科手術を施すスペースを確保する。この行程は、体腔への通気法と呼ばれる。追加的開腹をなすことが出来、これによって、実際の腹腔内で実施される手術における器具、例えば、臓器及び組織の操作、切開、切除を行う器具のみならず、体腔内を照明且つ視認する器具を収容する。最小傷創の外科手術法は、旧来の方法の欠点を克服するが、種々の不利な点がなお存在する。特に、操作組織から医師の手による触診治療は制約される。また、体腔から除去されるべき組織は、開口部を通過できる小さな断片状で除去されなければならない。
　最近、旧来の手術法及び最小傷創の手術法双方の利点を持つ新しい外科手術法が開発されてきた。これらの新手術法では、小切開が腹腔内の膨張、照明、及び視認を行う為になお用いられるが、加えて、腹壁に中切開部が作られ、医師の手に適合せしめられる。中切開部が適度に開創され、適当な大きさの開創が提供され、典型的には、開口部周辺は手術布で覆われ細菌感染を防ぐ。開創されている中切開部を通して腹腔内を医師の手が出入りする間に、膨張用気体の損失を防ぐ為に、封止(Sealing、以下シールと称する)機構も要求される。
発明の概要
　本発明は、医師の手又は手術器具がシールされた開口部を通じて体腔内にアクセスすることを可能にする手術用アクセスポートを特徴とする。該アクセスポートは、開創器およびシール用袖部（以下、スリーブと称する）の２つの部分を含む。開創器は、体腔に作られた切開縁を開創して開口部を作り、その開口縁の周りでシールして、体腔とアクセスポート内部との気密性の連結空間を形成する。シール用スリーブは、体腔外部にある開創器に接続され、開創器により形成された開口部を通じて医師が体腔内に手を挿入する導路となる。シールスリーブは、医師の手が腹腔内に挿入された際に、医師の腕又は手袋の周囲をシールし、医師の手がアクセスポートから外に出た際には、開口部をシールする。従って、該ポートは医師の手の体腔への経路となり、また通気ガスのような体腔内にある気体が周辺へ漏れることを防ぐ。
　全体として、本発明は、体表面の切開縁部を引いて開口部を形成する装置であることを特徴とする。本装置は、上端と下端及び両端間の導路とからなる柔軟な管状のスカートと、スカートの下端に接続され、該下端を開状態に保って導路の出口を画定するリングと、該スカートに接続され、該上端を取り囲む膨張可能な襟部（以下、カラーと称する）とを含む。このリングのサイズは、切開創の大きさに適応し、体表面と平行に配向された時に、体表の下に停まるようにされる。該カラーは、膨張時には、上端を開状態に保ち導路への入口を画定する。使用の際には、リングは切開創から挿入され、カラーは切開創外に停まって膨張して、切開縁部に対してスカートを引っ掛けて、切開縁部を引っ張って開口部を形成する。
　開創器には以下のような特徴がある。カラーが最大に膨張すると、切開創の長さより大きな内径を持つ。またこの装置には、光学ファイバ、すなわちファイバ光学ケーブルなどの光源も含まれ、該光源はスカート下端に接続される。スカートは、縁を折り返した形状（以下、ヘム形状と称する）であってリングを包むポケットを含み得る。ポケットを気体及び液体の少なくとも１つを充填することにより、リングが形成される。このリングはほぼ楕円の形体とすることも可能である。本装置は、膨張可能なカラーの外周縁に近接し、入口開口部を補強する第２のリングも含み得る。本装置は、更に、入口開口部をシールする着脱自在な、第２リングで受容しえるようになされたキャップも含み得る。本装置は、更に、導路に挿入された医師の腕の周りでシールし、スカート内壁に開口部を取り囲む膨張可能な袖部（以下カフと称する）を含み得る。同様に、該膨張可能なカフにより受容し得るようになされた着脱自在で、入口開口部を覆うプラグを含み得る。
　開創器は、外科手術用アクセスポート内に含まれ得て、該アクセスポートは、更に、膨張可能なカラーの少なくとも１つと、スカートに接続され該スカートの出口開口部から該スカートとは遠位の自身の開口端まで導路を伸長するフレキシブルスリーブと、を含む。実施例によっては、フレキシブルスリーブは、開創器に取り外し及び再取り付け可能であり、又は常に固定され得る。該アクセスポートは、出口開口部付近でスカートに接続された光源をも含み得るし、フレキシブルスリーブは、絞りバルブを含み得る。」
　
(b)公報第１８頁第１１行から第２０頁第５行
「図１に示すように、外科手術用アクセスポート62、入口開口部12、及び出口開口部18を有するスリーブ形状の装置である。使用の際には、該アクセスポートが切開部を通って体腔に挿入された後、医師は出口開口部18内部を通して、患者の体腔にアクセスし、体腔の通気に使用される気体が切開部を通して漏洩することを防ぐ。フレキシブルスカート66は、出口開口部18を取り巻き、出口開口部18から遠位のスカートの端にヘム形状のポケット63を有する。ポケット63は、リング64を包み込み、よって、スカート及び出口開口部18が、開状態のほぼ円又は楕円の配向に保たれる。スカート66は、出口開口部18からスカート66を取り囲む１つ又は２つの膨張可能なカラー68、69へ伸長する。スカート66の上端は、最上端カラー69に、カラー69の内周からカラー69の頂上部分にまたがって、接続される。膨張可能なカラー68及び69の各々は、管状の領域を包み込む。該管状領域は、お互いに流体で接触しても或いはしなくともよいが、スリーブの残りの部分は、体腔及び周囲からは隔絶される。カラー68及び69は、１つ又は２つの入口ボート11を通して膨らまされる。カラー68及び69がお互いに流体で連通されれば、１つの入口ボート11だけが必要とされる。
　外スリーブ10が、スカート66の上端に取り付けられ、入口開口部12に向かって上方に伸長する。スリーブ10は、上部空洞16を包み込む。この空洞16は、出口開口部18が切開創を通して体内口に挿入された際に、体腔からの気体と流体結合する。外スリーブ10は、入口開口部12において裏返されて、フラップバルブ14を形成する。このフラップバルブ14は、入口開口部12の外部にある雰囲気から上部空洞16をシールする。
　アクセスポート62の下方部分が、リング64とスカート66と膨張可能カラー68及び69とを含んで、開創器を形成する。使用の際には、例えば、スリット形状(図２Ａ)の切開創50が、患者腹壁に最初に作られる。カラー68及び69が非膨張状態で、且つ開創器50の外にある状態で、リング64及びスカート66の取り付け部分が、切開創50を通して体腔に挿入される。リング64が、円形であり、切開創50の長さよりも小さい径を有していれば、リング64は、腹壁52に対して垂直に挿入される。これに対して、リング64が、円形且つその径が切開創50の長さよりも大きい場合には、リング64は、変形状態にて切開創50に通過可能に適合し得るような十分な柔軟性を有しなければならない。リング64は剛性を有し、切開創50の長さよりも大きい長径と、それよりも小さい短径を有する楕円形状を有するのが最も好ましい。この場合、剛性リング64は、切開創50に平行にその短径を配向することにより、体腔に挿入される。
　一旦、リング64が体腔内に入れば、リング64は配向されて、腹壁52に対して平行となる(図２Ｃ及び２Ｄ)。図２Ｃ及び２Ｄ図は、カラー68及び69が非膨張の状態における奥行き及び幅に沿った各々の断面図である。この形態において、リング64の直径及び剛性は、切開創50を通って引き戻されることを防ぐに十分なものである。切開創50の長さに等しいか、より大きい直径を有するカラー68及び69は、入口ボート11を介して膨らまされる。初期状態では、カラー68及び69は、切開創50の周りで、腹壁52の上方に位置する。カラー68及び69が膨張せしめられた場合、これらは上方に拡張し、それらの内周は、半径方向外側へ拡張する(図２Ｅ)。スカート66の上端が、最上位のカラー69の内周に接続されていることから、スカート66も、上方且つ半径方向外側へ引かれて、腹壁52の内側体表に対抗して堅くリングを引っ張る。その結果、スカート66の中間部分は、切開創50の縁に対して引っ張られ、近接する組織を引っ張って、体腔内に開口を提供し、且つ、体腔とアクセスポート62の残りの部分に気密シールを生成する。図２Ｅは、カラー68及び69が膨張した状態での切開創50の断面を示している。」
　
(c)公報第２５頁第１行から第２６頁第２０行
「シールスリーブ101のもう１つの実施例を図７Ａ及び図７Ｂに示す。スリーブ10の頂部端108は、剛性リング110への接続により、開形態に保たれる。剛性リング110の直下で、スリーブ100の内壁は、膨張可能カフ112に接続される。該カフは、伸延性のある、例えば、ゴムのようなエラストマー性素材から作成される。スリーブ10の外側の膨張可能なカフ112を、密着性の非延性素材（例えば、ナイロン製織物）の硬性の裏打ち100が取り囲んでいる。裏打ち100には伸延性がないことから、膨張時、カフ112は内側に向かって伸長し、よって、開創器106によって形成された導路を通って医師の手が挿入された際に、その腕の周りをシールする。更に、カフ112と開創器106との間には柔軟な素材の領域があることから、カフ112によって形成されたシール状態を害することなく、医師は腕の角度や手の挿入の深さを容易に変えることができる。医師の手がアクセスポートから外されると、カフ112は、更に膨張し得て、導路の完全なシールを達成する。
　変形例においては、医師の手が取り除かれた際に導路をシールする目的で、剛性素材のリング110は、スリーブ100の頂部端108の開口部を覆うスナップオン(snap-on)キャップ114(図７Ｂ)を受容することができる。該キャップは、例えば、剛性ゴム、塩化ポリビニル(PVC)、発泡体ラバーを含む半柔軟性素材で作成される。キャップ114は、下側の内リップ(lip)116の上部に剛性リング110と係合する溝117を含む。内リップ116上部の溝116の直径が、剛性リングの直径に比べてわずかに小さいことにより生ずる機械的圧力が、堅いシール状態を形成する。キャップ114はまた器具ポート118および120を含み、手術器具(例えば、トロカール、カニューレ、内視鏡)を腹腔へ挿入する場合の気密シール可能な開口部を提供する。
　図８に示された実施例においては、前述の開創器は、膨張可能なカラー68及び69の外周を取り巻く剛性リング210を更に含み得る。例えば、スカート66がさらに伸長し、膨張可能なカラー68および69の外周に接続し、これらのカラーの間の剛性リング210を包み込む。変形例として、例えば、膨張可能なカラーの１つが、該カラーの外周で剛性リング210を包み込む追加的素材を含み得る。剛性リング210は、膨張時の開創開口部からの力に応じたカラー68及び69の変形を防ぎ、カラー68及び69の非膨張時には開創器212の頂部の構造材となる。更に、剛性リング210は、開創器212により形成された導路をスナップオン・キャップ114が直接覆うことを可能にする。キャップ114はリング210に圧着によって装着される。剛性リング210の直径は、下リップ116の上部の溝117の直径よりわずかに大きく、これにより堅固なシールをなす。
　図９に示すように、開創器224は、膨張可能なカラー68および69の内周に近接して、スカート66に直接接続された膨張可能なカフ220を更に含み得る。この場合、開創器224は、腹腔への導路をシールする手段(即ち、カフ220)を含むので、シールスリーブを必要としない。カフ220は、伸延性のあるエラストマー性の素材から作成され、膨張時に内方向に伸長し、開創器224によって形成された導路を通って挿入された医師の腕の周りをシールする。医師の腕が外されると、カフ220は膨張して導路を完全にシールするか、又は代わりに、カフ220がシールプラグ230を受容する。プラグ230が開創器224に挿入された後では、膨張時に、膨張されたカフ220が、凹部状の溝232にしっかりと適合し、導路をシールする。キャップ114の場合と同様に、シールプラグ230は、開創器224を通して体腔に手術用器具を挿入する１つ又はそれ以上のシール可能な器具ポート234を含み得る。」
　
(d)【図８】には、「対向配置した剛性リング２１０およびリング６４に筒状のフレキシブルスカート６６の両端部を接続することにより鼓状に形成された開創器２１２と、開創器２１２の剛性リング２１０にスナップオンで係合する『下リップ１１６および溝１１７』を介してシール性を有して取り付けられるキャップ１１４より構成され、キャップ１１４は、２つの器具ポート１１８、１２０を有し、剛性リング２１０に取り付けられるものである手術用アクセスポート。」の図示がある。
　
(e)【図９】には、「１つの器具ポート２３４を有するシールプラグ２３０」の図示がある。
　
　上記(a)ないし(e)の記載事項および図示内容より、引用例には、
「手術中開創開口部に装着して開創開口部を開いた状態に保持する手術用アクセスポートにおいて、対向配置した剛性リング２１０および柔軟性のリング６４に筒状のフレキシブルスカート６６の両端部を接続することにより鼓状に形成され、筒状のフレキシブルスカート６６が開創開口部の外部から内部に位置すると共にリング６４が開創開口部の内部に位置して開創開口部に係合して開創開口部を開いた状態に保持する開創器２１２と、開創器２１２の剛性リング２１０にスナップオンで係合する『下リップ１１６および溝１１７』を介してシール性を有して取り付けられるキャップ１１４より構成され、キャップ１１４は、気密シール可能な２つの器具ポート１１８、１２０を有し、剛性リング２１０に取り付けられるものである手術用アクセスポート。」の発明が開示されている。
　
(3-2)．対比・判断
　本願補正発明と引用例記載の発明とを対比する。
　後者の「開創開口部」、「剛性リング２１０」、「柔軟性」、「リング６４」、「フレキシブルスカート６６」、「接続」、「開創器２１２」、「『下リップ１１６および溝１１７』」、「シール性」、「キャップ１１４」、「気密シール可能な２つの器具ポート１１８、１２０」、「手術用アクセスポート」は、
　前者の「切開創」、「体表側リング」、「可撓性」、「体腔内挿入側リング」、「弾性部材」、「固定」、「保持具本体」、「接合手段」、「気密性」、「プレート部材」、「開閉可能な複数の弁」、「切開創保持具」にそれぞれ相当している。
　
　上記より、両者は、
「手術中切開創に装着して切開創を開いた状態に保持する切開創保持具において、対向配置した体表側リングおよび可撓性の体腔内挿入側リングに筒状の弾性部材の両端部を固定することにより鼓型に形成され、筒状の弾性部材が切開創の外部から内部に位置すると共に体腔内挿入側リングが切開創の内部に位置して切開創に係止することにより切開創を開いた状態に保持する保持具本体と、保持具本体の体表側リングに係合する接合手段を介して、気密性を有して取り付けられるプレート部材より構成され、プレート部材は、開閉可能な複数の弁を有し、体表側リングに取り付けられるものである切開創保持具」という点で一致し、以下の点で相違している。
　
◇前者では、「体表側リングおよび可撓性の体腔内挿入側リングに筒状の弾性部材の両端部を拡張させて固定する」のに対して、後者では、体表側リングおよび可撓性の体腔内挿入側リングに筒状の弾性部材の両端部を固定する際に「拡張させる」かどうかが明らかでない点。（以下、「相違点１」という。）
　
◇前者では、「保持具本体の体表側リングに回転により係合する接合手段を介して、体表側リングとの間に設けられた弾性リングにより気密性を有して取り付けられるプレート部材」であるのに対して、後者では、「保持具本体の体表側リングにスナップオンで係合する接合手段を介して気密性を有して取り付けられるプレート部材」である点。（以下、「相違点２」という。）
　
◇前者では、「プレート部材は、開閉可能な1つの弁を有した弁プレート、開閉可能な複数の弁を有した多弁プレート、複数の連通孔を有した多孔プレート、および体表側リングの開口を閉塞する閉塞プレートのいずれか１つが手技に応じて選択されて体表側リングに取り付けられるものである」のに対して、後者では、「プレート部材は、開閉可能な複数の弁を有し、体表側リングに取り付けられるものである」点。（以下、「相違点３」という。）
　
　上記各相違点について検討する。
◆相違点１について
　上記３．(3-1)の(c)の「・・・図８に示された実施例においては、前述の開創器は、膨張可能なカラー68及び69の外周を取り巻く剛性リング210を更に含み得る。例えば、スカート66がさらに伸長し、膨張可能なカラー68および69の外周に接続し、これらのカラーの間の剛性リング210を包み込む。・・・」より、引用例には、膨張可能なカラー68及び69の外周を取り巻く体表側リング（剛性リング210）に筒状の弾性部材（スカート）の端部を伸長（拡張）させて固定することが示されており、これは、リングと筒状の弾性部材との関係等に応じて、リングに弾性部材の端部を伸長（拡張）させて固定することを示唆するものである。
　これからして、引用例記載の発明において、必要に応じて、体表側リングおよび可撓性の体腔内挿入側リングに筒状の弾性部材の両端部を拡張させて固定する、即ち、該相違点１に係る本願補正発明の発明特定事項とすることに格別の困難性があるとはいえない。
　
◆相違点２について
　一般に、リングに回転により係合する接合手段を介して、リングとの間に設けられた弾性リングにより気密性を有して取り付けられるキャップ自体、先行技術文献を示すまでもなく、本願出願前周知の事項であり、そして、引用例記載の発明の「保持具本体の体表側リングにスナップオンで係合する接合手段を介して気密性を有して取り付けられるプレート部材（キャップ）」は、「リングに係合する接合手段を介して気密性を有して取り付けられるキャップ」という点で上記周知の事項と軌を一にしている。
　これからして、引用例記載の発明の「保持具本体の体表側リングにスナップオンで係合する接合手段を介して気密性を有して取り付けられるプレート部材（キャップ）」を、上記周知の事項の「保持具本体の体表側リングに回転により係合する接合手段を介して、体表側リングとの間に設けられた弾性リングにより気密性を有して取り付けられるキャップ（プレート部材）」に代える、即ち、該相違点２に係る本願補正発明の発明特定事項とすることに格別の困難性があるとはいえない。
　
◆相違点３について
　上記３．(3-1)の(a)ないし(e)より、引用例には、手術の手技に応じて、弁（器具ポート）の数を「１つ」または「２つ（複数）」にすることの開示があることから、引用例記載の発明は、開閉可能な1つの弁を有した弁プレート、開閉可能な複数の弁を有した多弁プレートなどを用意し、これらのいずれか１つが手技に応じて選択されて体表側リングに取り付けられるようにすることを示唆するものである。
　これからして、引用例記載の発明において、「プレート部材は、開閉可能な複数の弁を有し、体表側リングに取り付けられるものである」に代えて、「プレート部材は、開閉可能な1つの弁を有した弁プレート、開閉可能な複数の弁を有した多弁プレートなどのいずれか１つが手技に応じて選択されて体表側リングに取り付けられるものである」とする、即ち、該相違点３に係る本願補正発明の発明特定事項とすることに格別の困難性があるとはいえない。
　
　よって、本願補正発明は、引用例記載の発明および本願出願前周知の事項に基いて当業者が容易に発明をすることができたものであるので、特許法第２９条第２項の規定により、特許出願の際独立して特許を受けることができない。
　
(3-3)．むすび
　したがって、本件補正は、平成１８年改正前特許法第１７条の２第５項において準用する同法第１２６条第５項の規定に違反するので、特許法第１５９条第１項において読み替えて準用する同法第５３条第１項の規定により却下すべきものである。
　よって、上記結論のとおり決定する。
　
４．本願発明
　本件補正は、上記のとおり却下されたので、本願の請求項１に係る発明（以下、同項記載の発明を、「本願発明」という）は、平成１７年３月２３日付けの手続補正書により補正された明細書の特許請求の範囲の請求項１に記載された事項により特定される、以下のとおりのものである。
「手術中切開創に装着して切開創を開いた状態に保持する切開創保持具において、対向配置した体表側リングおよび可撓性の体腔内挿入側リングに筒状の弾性部材の両端部を拡張させて固定することにより鼓型に形成され、前記筒状の弾性部材が前記切開創の外部から内部に位置すると共に前記可撓性の体腔内挿入側リングが前記切開創の内部に位置して前記切開創に係止することにより前記切開創を開いた状態に保持する保持具本体と、前記保持具本体の前記体表側リングに回転により係合する接合手段を介して着脱自在に取り付けられたプレート部材より構成され、前記プレート部材は、開閉可能な1つの弁を有した弁プレート、開閉可能な複数の弁を有した多弁プレート、複数の連通孔を有した多孔プレート、および前記体表側リングの開口を閉塞する閉塞プレートのいずれか１つが手技に応じて選択されて前記体表側リングに取り付けられるものであることを特徴とする切開創保持具。」
　
５．引用例の記載事項
　原査定の拒絶の理由に引用された引用例の記載事項は、上記３．(3-1)に記載したとおりである。
　
６．対比・判断
　本願発明は、本願補正発明から２．(2-2)で示した限定事項を省いたものであって、本願補正発明を包含するものである。
　そうすると、本願補正発明が、上記３．(3-2)に記載したとおり、引用例記載の発明および本願出願前周知の事項に基いて当業者が容易に発明をすることができたものであるから、この本願補正発明を包含する本願発明も、同様に、引用例記載の発明および本願出願前周知の事項に基づいて当業者が容易に発明をすることができたものである。
　
７．むすび
　以上のとおり、本願発明は、引用例記載の発明および本願出願前周知の事項に基いて当業者が容易に発明をすることができたものであるので、特許法第２９条第２項の規定により特許を受けることができない。
　よって、結論のとおり審決する。